(57)【要約】      （修正有）【課題】樹木の刈込仕上げを直線的に行える刈込定規を提供する。【解決手段】本体Ａ１、本体Ｂ２、本体Ｃ３を気泡管７を目安に水平または勾配をつけ、クシ状上段４及びクシ状下段５を直接対象樹木の任意の位置に差し込むことにより本体Ａ１、本体Ｂ２、本体Ｃ３及びクシ状上段４またはクシ状下段５が平面的な刈込定規になる。【選択図】図１
2012080863.tif 000002
【特許請求の範囲】
【請求項１】
定規となる部分の側面にクシ状の物を取り付け、定規部及びクシ状部で平面的定規になる事を特徴とする刈込定規
【請求項２】
クシ状を上下交互にする事により対象樹木に任意の位置で差し込みができ刈込作業中・後も本体がずれにくく、またクシ状は滑り止めを有する物でもよいことを特徴とする請求項１に記載の刈込定規。
【請求項３】
使用状況により刈込定規を自由に分割及び連結させて使用出来ることを特徴とする請求項１から２のいずれか一項に記載の刈込定規。
【請求項４】
可動部分を設けて移動運搬時に持ち運びしやすい形態になり収納もしやすいことを特徴とする請求項１から３のいずれか一項に記載の刈込定規。
【請求項５】
請求項１から４のいずれか一項に記載の刈込定規を用いた樹木の剪定又は刈込。
【発明の詳細な説明】
【技術分野】
【０００１】  この発明は、樹木の維持管理（刈込仕上げ）に関する。
【背景技術】
【０００２】  従来は樹木の維持管理（刈込仕上げ）で直線的な樹形にする場合、水糸を張るか、職人の技術によるものである。
【先行技術文献】
【特許文献】
【０００３】
【特許文献１】  特開平８−９７７７
【発明の概要】
【発明が解決しようとする課題】
【０００４】  しかしながら、以上の技術によれば、水糸では枝葉・風等の影響を受け、直線が維持しづらく作業時不注意等による断線の可能性もあり直線的な刈込は困難である。また職人の技術を習得するにはかなりの時間を要する。
そこで、この発明は誰でも直線的な刈込を直ぐに行える事を課題とする。
【課題を解決するための手段】
【０００５】  以上の課題を解決するために、第一発明は、定規となる部分の側面にクシ状の物を取り付け、定規部及びクシ状部で平面的定規になる事を特徴とする刈込定規である。【０００６】  また、第二発明は、クシ状を上下交互にする事により対象樹木に任意の位置で差し込みができ刈込作業中・後も本体がずれにくく、またクシ状は滑り止めを有する物でもよいことを特徴とする刈込定規である。【０００７】  また、第三発明は使用状況により刈込定規を自由に分割及び連結させて使用出来ることを特徴とする刈込定規である。【０００８】  また、第四発明は可動部分を設けて移動運搬時に持ち運びしやすい形態になり収納もしやすいことを特徴とする刈込定規である。
【発明の効果】
【０００９】  第一発明、及び第二発明によれば直接対象樹木に任意の位置で取付けて、クシ状部分を含め平面的な定規に沿って刈込できる為誰でもまっすぐに刈込むことができる。また第三発明によれば使用状況により長さを変化させられる為作業効率向上につながり、第四発明によれば手軽に移動や収納を行うことができる。
【図面の簡単な説明】
【００１０】
【図１】この発明の一実施形態を示す斜視図である。
【図２】格納過程前を示す平面図である。
【図３】格納過程中を示す平面図である。
【図４】格納過程後を示す平面図である。
【図５】使用例を示す背面図である。
【図６】使用例を示す平面図である。
【図７】使用例を示す側面図である。
【図８】使用例を示す側面図である。
【図９】一実施形態を示す正面図である。
【図１０】一実施形態分割を示す正面図である。
【図１１】一実施形態連結を示す正面図である。
【図１２】他の実施形態を示す側面図である。
【発明を実施するための形態】
【００１１】  この発明の一実施形態を、図１に示す。
本体Ａ１及び本体Ｂ２の側面には、クシ状上段４及びクシ状下段５が交互に多数設けられている。可動部６はボルト・ナット・ワッシャー８により固定され本体Ｃ３を中心に本体Ａ１及び本体Ｂ２を連結し構成される。また図２及び図３に示す格納する場合本体Ｃ３を中心とし可動部６により本体Ａ１及び本体Ｂ２を９０度回転させる。この時本体Ａ１のクシ状上段４及びクシ状下段５と本体Ｂ２のクシ状上段４及びクシ状下段５が互いに干渉するのを防ぐため本体Ｃ３は左右にスライドする。また、本体Ｃ３のスライド機構及び補強の為補強材９が必要となる。図４に示す本体Ｃ３のスライドを戻すことにより格納し移動運搬時、容易に持ち運びが可能となり未使用時は収納しやすくなっている。
【００１２】「実施形態の効果」
この実施形態によれば、図５及び図６に示す本体Ａ１、本体Ｂ２、本体Ｃ３において気泡管７を目安に水平または勾配をつけクシ状上段４及びクシ状下段５を直接対象樹木１１に任意の位置に差し込む。これにより図６に示す本体Ａ１、本体Ｂ２、本体Ｃ３及びクシ状上段４またはクシ状下段５が平面的な定規になる為、図７及び図８に示すトリマー等１０で誰でもまっすぐに刈込むことができる。
また使用状況により図９、図１０に示す可動部６からボルト・ナット・ワッシャー８を取り外し本体Ａ１、本体Ｂ２、本体Ｃ３を分割し本体Ａ１または本体Ｂ２を単独で使用することが可能となる。また図１１に示すように本体Ａ１と本体Ｂ２をボルト・ナット・ワッシャー８で連結して使用することもできる。
図１に示す本体Ａ１、本体Ｂ２、本体Ｃ３及び可動部６、クシ状上段４、クシ状下段５、補強材９の材質は不特定の樹木が支えうる重量が好ましくアルミニウムやプラスチック等の軽量な材料が良いと考えられる。
「他の実施形態」
図１の実施形態では、クシ状上段４及びクシ状下段５は滑り止めのないものであるが、他の実施形態では、図１２に示すクシ状上段４及びクシ状下段５に滑り止めとして横方向に走る溝を定規部分でない箇所に複数設けたものでも良い。
【符号の説明】
【００１３】１    本体Ａ
２    本体Ｂ
３    本体Ｃ
４    クシ状上段
５    クシ状下段
６    可動部
７    気泡管
８    ボルト・ナット・ワッシャー
９    補強材
１０  トリマー等
１１  対象樹木
【図１】
2012080863.tif 000003
【図２】
2012080863.tif 000004
【図３】
2012080863.tif 000005
【図４】
2012080863.tif 000006
【図５】
2012080863.tif 000007
【図６】
2012080863.tif 000008
【図７】
2012080863.tif 000009
【図８】
2012080863.tif 000010
【図９】
2012080863.tif 000011
【図１０】
2012080863.tif 000012
【図１１】
2012080863.tif 000013
【図１２】
2012080863.tif 000014
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
定規となる部分の側面にクシ状の物を取り付け、定規部及びクシ状部で平面的定規になる事を特徴とする刈込定規。
【請求項２】
クシ状を上下交互にする事により対象樹木に任意の位置で差し込みができ刈込作業中・後も本体がずれにくく、またクシ状は滑り止めを有する物でもよいことを特徴とする請求項１に記載の刈込定規。
【請求項３】
使用状況により刈込定規を自由に分割及び連結させて使用出来ることを特徴とする請求項１から２のいずれか一項に記載の刈込定規。
【請求項４】
請求項１から３のいずれか一項に記載の刈込定規を用いた樹木の剪定又は刈込方法。